(57)【要約】【課題】操作容易な突出した把手を設けながらも、開口部全体を開けることができるとともに見栄えの良い開口部の構造を提供する。【解決手段】出入り口を形成する開口部と、戸先側に開閉操作用の把手が突設されるとともにスライドして前記開口部を開閉しうる引き戸と、前記開口部の側方に配置され、開口部を開ける際に開口部からスライド移動した引き戸を収容する戸袋部と、戸袋部に収容された引き戸に向き合う戸袋壁部とを具え、前記戸袋壁部には、開口部に隣接する端部に配置されるとともに、引き戸が開口部を全開する際に前記把手を収容しうる凹部有し、この凹部は開口部側が開閉可能に形成されることを特徴とする。【選択図】図１
2007204947.tif 000002
【特許請求の範囲】
【請求項１】
出入り口を形成する開口部と、戸先側に開閉操作用の把手が突設されるとともにスライドして前記開口部を開閉しうる引き戸と、前記開口部の側方に配置され、開口部を開ける際に開口部からスライド移動した引き戸を収容する戸袋部と、戸袋部に収容された引き戸に向き合う戸袋壁部とを具え、
前記戸袋壁部には、開口部に隣接する端部に配置されるとともに、引き戸が開口部を全開する際に前記把手を収容しうる凹部有し、
この凹部は開口部側が開閉可能に形成されることを特徴とする開口部の構造。
【請求項２】
前記戸袋壁部は、開口部側の端部に縦長板状の竪枠材が設けられるとともに、この竪枠材には、前記凹部の開口部側に配置されるとともに把手が出入りしうる切欠き部が設けられ、
前記切欠き部に、この切欠き部を開閉する開閉体を設けたことを特徴とする請求項１記載の開口部の構造。
【請求項３】
前記凹部には、この凹部に隙間を生じることなく嵌るボックス体が着脱可能に挿入され、
前記開閉体は、ボックス体の側板によって構成されることを特徴とする請求項２記載の開口部の構造。
【請求項４】
前記開閉体は、前記竪枠材に蝶着され、回動によって切欠き部を開閉しうる扉状板からなることを特徴とする請求項２記載の開口部の構造。
【請求項５】
出入り口を形成する開口部と、戸先側に開閉操作用の把手を突設するとともにスライドして前記開口部を開閉しうる引き戸と、前記開口部の側部に配置され、開口部を開く際に開口部からスライド移動した引き戸を収容する戸袋部と、戸袋部に収容された引き戸に向き合う戸袋壁部とを具え、
前記引き戸は、戸袋壁部の側へ突設された把手が、着脱可能に構成されることを特徴とする開口部の構造。
【請求項６】
前記戸袋部内に、把手が竪枠材の前方位置において引き戸を停止させるストッパーを設け、
前記ストッパーは、前記引き戸の停止機能が解除可能に構成されることを特徴とする請求項１〜５のいずれかに記載の開口部の構造。
【発明の詳細な説明】
【技術分野】
【０００１】
本発明は、主として間仕切り壁に形成された出入り口において、これを開閉する引き戸を取り付けた開口部の構造に関する。
【背景技術】
【０００２】
引き戸は、壁面に沿うスライド移動によって開口部を開閉するため、ドアのように回動を伴った開閉動作のための余裕スペースが不要である。特にグループホームを含む高齢者施設、病院などキャスター付きのベッドを出し入れするために、例えば１．５〜２．０ｍ程度の開口巾に形成された広幅の開口部を開閉する建具としては、引き戸が好適に採用されている。
【０００３】
しかし、開口部を開ける場合、引き戸は開口部から移動して開口部に隣接する戸袋に収容される。しかしこの時、壁面に向き合う側の把手が戸袋部分と干渉することから、引き戸の戸先側が開口部内に残ってしまい、開口部を全開がすることができなかった。その結果、充分な開口巾が得られず、ベッドなど大きな家具の出し入れがやり難くなり、最悪の場合は、搬入が不可能となる場合もあった。
【０００４】
そこで図８に示すように、引き戸ａの戸先に浅い凹みからなる把手部ｂを設けることにより、戸袋部分ｄとの干渉を防止し、引き戸ａを全開移動させる提案がなされている（例えば、特許文献１参照）。
【０００５】
【特許文献１】特開２００２−３７１７５７号公報
【発明の開示】
【発明が解決しようとする課題】
【０００６】
しかしながら、浅い凹みからなる把手部ｂは、これに指先を引っ掛けて操作する必要があるため、特に大型の引き戸のように重い引き戸においては操作がやり辛く、しかも高齢者施設などにおいては握力が衰えた使用者が操作する場合が多いため、開閉が困難な場合もあった。
【０００７】
本発明は、戸袋壁部に引き戸の把手を収容しうる凹部を設けるとともに、この凹部の開口部側を開閉可能に形成することを基本とし、把持し易いため操作が容易な突出した把手を設けながらも、開口部全体を開けることができるとともに見栄えの良い開口部の構造の提供を課題としている。
【課題を解決するための手段】
【０００８】
前記目的を達成するために、請求項１に係る発明では、出入り口を形成する開口部と、戸先側に開閉操作用の把手が突設されるとともにスライドして前記開口部を開閉しうる引き戸と、前記開口部の側方に配置され、開口部を開ける際に開口部からスライド移動した引き戸を収容する戸袋部と、戸袋部に収容された引き戸に向き合う戸袋壁部とを具え、前記戸袋壁部には、開口部に隣接する端部に配置されるとともに、引き戸が開口部を全開する際に前記把手を収容しうる凹部を有し、この凹部は開口部側が開閉可能に形成されることを特徴とする。
【０００９】
請求項２に係る発明では、戸袋壁部は、開口部側の端部に縦長板状の竪枠材が設けられるとともに、この竪枠材には、前記凹部の開口部側に配置されるとともに把手が出入りしうる切欠き部が設けられ、前記切欠き部に、この切欠き部を開閉する開閉体を設け、また請求項３に係る発明においては、凹部には、この凹部に隙間を生じることなく嵌るボックス体が着脱可能に挿入され、前記開閉体は、ボックス体の側板によって構成され、請求項４に係る発明では、前記開閉体は、前記竪枠材に蝶着され、回動によって切欠き部を開閉しうる扉状板からなることを特徴とする。
【００１０】
請求項５に係る発明では、出入り口を形成する開口部と、戸先側に開閉操作用の把手を突設するとともにスライドして前記開口部を開閉しうる引き戸と、前記開口部の側部に配置され、開口部を開く際に開口部からスライド移動した引き戸を収容する戸袋部と、戸袋部に収容された引き戸に向き合う戸袋壁部とを具え、前記引き戸は、戸袋壁部の側へ突設された把手が、着脱可能に構成されることを特徴とする。
【００１１】
また請求項６に係る発明においては、前記戸袋部内に、把手が竪枠材の前方位置において引き戸を停止させるストッパーを設け、前記ストッパーは、前記引き戸の停止機能が解除可能に構成されることを特徴とする。
【発明の効果】
【００１２】
請求項１に係る発明においては、戸袋壁部の開口部に隣接する端部に、把手を収容しうる凹部を形成しているため、引き戸全体を戸袋壁部に向き合う位置に迄スライドさせて、開口部全体を開けることができ、その結果ベッドを始めとする、大型家具などの大きな物を移動させる際にも、出し入れが支障なく簡単に行なえて、便利に使用しうる。しかも、凹部は開口部側が開閉可能に形成されるため、必要なときは引き戸を全開して使用できるとともに、人の出入りする時など通常の使用時には、凹部が隠されて見栄えを高めることができる。
【００１３】
請求項２に係る発明のように、戸袋壁部の開口部側に設けた竪枠材に、凹部に臨む切欠き部を形成すると、把手が切欠き部を通って自在に出入りすることから、引き戸の操作性が向上する。更には、切欠き部は開閉体によって開閉できるため、凹部が露出することなく見栄えに優れる。また請求項３に係る発明のように、凹部に隙間なく挿入されるボックス体の側板によって切欠き部を開閉するように構成すると、凹部に把手を収容しない際には、切欠き部が確実に閉止され、しかもボックス体を着脱するだけの簡単な操作で切欠き部を開閉できる。更には請求項４に係る発明のように、竪枠部の切欠き部に扉状板を蝶着し、切欠き部をこの扉状板の回動によって開閉すると、引き戸の移動とともにスライドする把手自体が開閉体を押し開けて凹部内に挿入するため、操作性優れるとともに、切欠き部の閉め忘れを防止できる。
【００１４】
請求項５に係る発明においては、戸袋壁部の側へ突設された把手が、引き戸に着脱可能に取り付けられるため、この把手を外すことにより引き戸の全体を戸袋部の内部に収容でき、開口部全体を開けることができる。その結果大型家具などの大きな物を移動させる際にも、支障なく簡単に出し入れができ、便利に使用しうる。しかも戸袋壁部に対しては造作を必要とせず、施工の手間が省力化できるとともに、見栄えを向上できる。
【００１５】
請求項６に係る発明のように、戸袋部内に停止機能を解除しうるストッパーを設けると、特に大きなものを出し入れすることのない日常の使用時においては、引き戸の移動範囲を通常必要なスライドストロークに規制することができるため使い勝手が向上し、他方停止機能を解除することにより移動式ベッドなどを楽に出し入れすることができる。
【発明を実施するための最良の形態】
【００１６】
以下、本発明の実施の一形態を、図示例とともに説明する。図１に示すように、開口部の構造１は、壁２１に出入り口として設けられた開口部２と、この開口部２を開閉する引き戸４と、この引き戸４を収容する戸袋部５と、戸袋部５に収容された引き戸４に向き合う戸袋壁部６とを具える。
【００１７】
前記開口部２を設ける壁２１は、本形態では図１に示すように、屋内に配置されて屋内の空間相互を画する所謂間仕切り壁の場合が例示される。しかし壁２１は屋内空間を屋外から画する外壁の場合も含まれる。
【００１８】
前記開口部２は、本形態では間仕切り壁からなる壁２１に設けられ、例えば居室と廊下、或いは居室相互を連通させる出入り口を形成する場合が例示される。しかし外壁に形成されて、屋内空間と外部との出入り口を形成する開口部２の場合も含まれる。
【００１９】
前記引き戸４は、前記開口部２と略同じ大きさを有する矩形板状をなす。本形態の引き戸４は、縦フレーム材、横フレーム材を矩形状に枠組みした外周枠の内側に補強桟を架け渡し形成された木製のパネルフレームの両側に、化粧板を貼着したフラッシュパネルにより構成される。また前記化粧板としては、合板など基板上に、ナラ、サクラ、チーク、ケヤキなどを０．２〜０．６ｍｍ程度にスライスした突き板、或いはポリエチレン、ポリプロピレン、エチレン酢ビ樹脂（ＥＶＡ）などオレフィン系樹脂、メラミン樹脂、ポリエステル樹脂を用いた化粧シートを貼着したものが用いられる。このほか合板及びパーティクルボードの表面をポリエステル樹脂、ポリウレタン樹脂、アミノアルキド樹脂、アクリル樹脂等で塗装した塗装板を用いることもできる。
【００２０】
またこの引き戸４の戸先側中位には、開閉操作に使用する把手３を突設している。本形態の把手３は、横Ｕ字状の金具を用いている。このほか縦長棒状の把手など、ユニバーサルデザインの観点から車椅子使用者でも容易に操作することのできる、つかみ易い形状の把手が好適に採用される。
【００２１】
このように構成された引き戸４は、その上端部に取り付けた吊り車輪（図示せず）が、前記開口部２上縁部で水平に設けられた上レール（図示せず）に走行可能に係合することにより、スライド移動可能に支持されて開口部２を開閉する。吊りレール方式のほか、鴨居、敷居を上下に設けることにより、引き戸４を水平移動可能に支持することもできる。
【００２２】
このように構成された引き戸４が、開口部２を開けるためスライドする時、これを収容する空所として戸袋部５が構成される。本形態の戸袋部５は、開口部２の一側に連続する壁２１を、引き戸４の厚さ分薄して形成された凹所として構成される。そしてこの戸袋部５は引き戸４と略同じ高さ、巾を有し、そのため引き戸４全体を収容しうる。
【００２３】
また本形態では図２に示すように、戸袋部５の中位に、引き戸４の戸尻に当接するストッパー１４が形成される。このストッパー１４は、戸袋部５の奥部に固着されるホルダ２２と、水平な丸棒２３とからなる。さらに前記ホルダ２２は、戸袋部５の奥部にビスによって固着される基盤２２Ａと、この基盤２２Ａに設けられた半環状の受部２２Ｂとからなる。そして丸棒２３は、その基端部が前記受部２２Ｂに着脱可能に嵌合して、水平状態に支持される。しかして図３（Ａ）に示すように、ホルダ２２に支持された丸棒２３の先端が引き戸４の戸尻を受けることにより、引き戸４は前記把手３が開口部２の縁部に当接する直前の一定位置において、更に奥への移動が阻止される。その結果把手３を破損することがなく、また特に大きなものを出し入れすることがなく、人が出入りするだけの日常の使用時においては、引き戸４の移動を必要なスライドストロークに規制することができて、使い勝手が向上する。
【００２４】
前記戸袋壁部６は、開口部２を開ける際に開口部２から横方向へスライド移動した引き戸４と向き合って構成される。本形態の戸袋壁部６は、戸袋部５を形成した分薄く形成された壁によって構成され、従って戸袋部５と反対側の表面は、隣接する壁と面一に形成される。本形態の戸袋壁部６の開口部２側の端部には、縦長板状の竪枠材８が取り付けられ、開口部２の化粧枠を形成している。
【００２５】
またこの戸袋壁部６は、開口部２に隣接する側の端部に、引き戸４の把手３を収容しうる凹部７が形成される。本形態では図１に示すように、前記竪枠材８に切欠き部９が設けられ、これにより前記凹部７の出入り口が形成される。また本形態の凹部７は、縦長直方体状をなし、把手３の高さよりも５〜２０％程度大きく形成されている。しかして図３（Ｂ）に示すように、前記ストッパー１４の丸棒２３を取り外して、引き戸４が戸袋部５の奥までスライド移動する時、把手３が凹部７内に収容されて、戸袋壁部６と干渉することがない。そのため引き戸４から突設されて操作性に優れた把手３を取り付けた引き戸４であっても、その全体を戸袋壁部６に向き合う位置に迄スライドさせて、開口部２をフルに開けることができ、その結果ベッドを始めとする、大型家具などの大きな物を移動させる際にも、支障なく簡単に出し入れでき、便利に使用できる。
【００２６】
また本形態の凹部７には、隙間なく嵌るボックス体１１が挿入される。このボックス体１１は、側方が開口した箱状をなし、小ループを多数設けた雌面材と小フックを多数設けた雄面材とが圧着されて着脱可能に係合する面ファスナーを用いて凹部７に着脱可能に取り付けられる。しかして、前記開口部２を全開する時には、ボックス体１１を取り外して、凹部７内に把手３を挿入できる。しかし人が出入りするだけの通常の使用状態では、ボックス体１１を凹部７内に挿入すると、凹部７が露出することがなく、見栄えを向上できる。
【００２７】
なお図３（Ａ）に示すように、ボックス体１１を凹部７内に挿入した時に、ボックス体１１の側板１２は前記竪枠材８と並んで配置され、この側板１２により竪枠材８の切欠き部９を閉止する開閉体１０が構成される。このように凹部７に隙間なく着脱可能に挿入しうるボックス体１１を用いると、凹部７に把手３を収容しない時は、切欠き部９が確実に閉止されて外観を高めることができ、しかもボックス体１１を着脱するだけの簡単な操作で切欠き部９を開閉できる点で好ましい。なお図中の２４は、ボックス体１１を着脱操作する際に把持する持ち手である。
【００２８】
図４（Ａ）（Ｂ）は他の実施形態を例示している。以下異なる内容について説明し、それ以外は図中に表れた主要構成に同じ符号を付すだけとする。本形態の開閉体１０は、竪枠材８の切欠き部９と略同大の薄板状の扉状板１３からなり、この扉状板１３は、バネ蝶番２５によって切欠き部９に取り付けられている。従って図４（Ａ）に示すように、引き戸４の移動がストッパー１４によって阻止され、把手３が開口部２の内側位置において停止する通常の使用状態においては、前記扉状板１３は竪枠材８と面一に維持されて、切欠き部９が閉止される。しかし図４（Ｂ）に示すように、ストッパー１４の丸棒２３を取り外して、引き戸４が戸袋部５の奥までスライド移動する時には、スライドする把手３自体が開閉体１０を押し開けて凹部７内に進入するため、開閉体１０を開け閉めする操作が不要となる上、切欠き部９の閉め忘れもなくなる点で好ましい。
【００２９】
図５、６に示す開口部の構造１では、引き戸４の戸先の両側に突設した把手３の内、戸袋壁部６側に向く把手３が着脱可能に構成されている。本形態の把手３は図６に示すように、横Ｕ字状の把手本体２６と、この把手本体２６の上下端部から突出し、先端に横長の鍵棒２７を有するＴ字状の固定部２８とからなる。一方引き戸４は、把手３の固定部２８と向き合って、前記鍵棒２７が係合する横断面Ｔ字状の受穴２９及びこの受穴２９の上側に連続した挿入穴３０が形成される。しかして、上下の固定部２８、２８を引き戸４の挿入穴３０に挿入し、下にスライドすることにより鍵棒２７が受穴２９に係合し、これにより把手３が固定される。そして図７（Ａ）に示すように、人が出入りするだけの通常の使用状態においては、引き戸４の移動がストッパー１４によって阻止され、把手３が開口部２の内側位置において停止する。
【００３０】
ベッドなどの大きな物を開口部２から出し入れする際には、把手３を上にスライドするとともに手前に引っ張ると固定部２８の係合が解除されて把手３を取り外すことができ、かつストッパー１４の丸棒２３を取り外すと、引き戸４を戸袋部５の奥までスライドさせて、開口部２をフルに開けることができる。このように、引き戸４の移動範囲を変えて、開口の大きさを必要に応じて変化させることができ、しかも戸袋壁部６に対しては造作を必要とせず、施工の手間が省力化できるとともに、見栄えを向上できる。
【００３１】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３２】
【図１】本発明の一実施の形態を例示する斜視図である。
【図２】その要部拡大斜視図である。
【図３】（Ａ）（Ｂ）はその異なる使用状態を説明する横断面図である。
【図４】本発明の他の実施形態を例示し、（Ａ）（Ｂ）はその異なる使用状態を説明する横断面図である。
【図５】他の発明の一実施の形態を例示する斜視図である。
【図６】その要部拡大斜視図である。
【図７】（Ａ）（Ｂ）はその異なる使用状態を説明する横断面図である。
【図８】従来例の横断面図である。
【符号の説明】
【００３３】
１      開口部の構造
２      開口部
３      把手
４      引き戸
５      戸袋部
６      戸袋壁部
７      凹部
８      竪枠材
９      切欠き部
１０      開閉体
１１      ボックス体
１２      側板
１３      扉状板
１４      ストッパー
【図１】
2007204947.tif 000003
【図２】
2007204947.tif 000004
【図３】
2007204947.tif 000005
【図４】
2007204947.tif 000006
【図５】
2007204947.tif 000007
【図６】
2007204947.tif 000008
【図７】
2007204947.tif 000009
【図８】
2007204947.tif 000010